(57)【要約】      （修正有）【課題】両足に均等に加重された姿勢を維持できる一対のサポートソックスを提供する。【解決手段】一対のサポートソックス１のそれぞれには、土踏まずから甲に亘って被覆する筒状に形成された第１筒状部２が設けられ、第１筒状部には、その周方向に収縮して締め付ける締付部２Ａ、２Ｂが設けられ、一対のサポートソックスのうち一方の締付部２Ａの締付力Ｆ２Ａが、他方の締付部２Ｂの締付力Ｆ２Ｂよりも大きくなるように形成された。【選択図】図１
0003178998.tif 000002
【実用新案登録請求の範囲】
【請求項１】
人間の左右両足に装着される一対のサポートソックスであって、
前記一対のサポートソックスのそれぞれには、土踏まずから甲に亘って被覆する筒状に形成された第１筒状部が設けられ、
前記第１筒状部には、その周方向に収縮して締め付ける締付部が設けられ、
前記一対のサポートソックスのうち一方の前記締付部の締付力が、他方の前記締付部の締付力よりも大きいことを特徴とする一対のサポートソックス。
【請求項２】
前記一対のサポートソックスのそれぞれには、前記第１筒状部の足首側に連続されて向う脛を覆う前側締付部と、該前側締付部に連続されてふくらはぎを覆う後側締付部と、が設けられ、
前記前側締付部の足首と向う脛とを結ぶ線の方向の引張力が、前記後側締付部の足首とふくらはぎとを結ぶ線の方向の引張力よりも大きいことを特徴とする請求項１記載の一対のサポートソックス。
【請求項３】
締付力が大きい方の前記締付部を有する前記一方のサポートソックスが、左右どちらかの足のうち重心がおかれた側の足に装着されるものであり、
締付力が小さい方の前記締付部を有する前記他方のサポートソックスが、重心がおかれた側と反対側の足に装着されるものであることを特徴とする請求項１又は請求項２記載の一対のサポートソックス。
【考案の詳細な説明】
【技術分野】
【０００１】
本考案は、人間の両脚に装着される一対のサポートソックスに関する。
【背景技術】
【０００２】
脚の血行を促進するための締付部を有する靴下が多く提案されている（例えば、特許文献１を参照）。上述した特許文献１に記載された靴下は、図５に示すように、ふくらはぎを覆ってふくらはぎを締め付ける筒状の上部サポータ体１０２と、足の土踏まず部を覆って土踏まず部を締め付ける筒状の下部サポータ体１０３と、の２つのパーツから構成されている。このような靴下は、上部サポータ体１０２がうっ血しやすいふくらはぎを覆ってふくらはぎを締め付けるとともに、下部サポータ体１０３がうっ血しやすい土踏まず部を覆って土踏まずを締め付けることにより、脚全体において、締め付けられる部分と、締め付けられない部分とが間隔をあけて設けられて圧力調整が行われることとなり、脚が動かされた際に脚がマッサージされた効果を生じて、脚全体の血行促進を図っていた。このように従来の靴下１０１は、両脚の同じ部位に同じ力の締付け力をかける上部サポータ体１０２及び、下部サポータ体１０３を有して一足（一対）で用いられていた。
【先行技術文献】
【特許文献】
【０００３】
【特許文献１】特開平１１−１３１３０３号公報
【考案の概要】
【考案が解決しようとする課題】
【０００４】
ところで、日常生活をする上で人間は、左右どちらかの足底に主に加重している、即ち片足に重心がおかれた姿勢でいることがあり、その際、慢性的に加重した側の足底の筋肉が、加重してない側の足底の筋肉よりも弛む傾向がある。そして、加重した側の脚の筋肉に負担がかかることで、図６に示すように、加重した側即ち左右方向の一方側の骨盤Ｗが下がり（矢印Ｌに示す）、他方側の肩甲骨Ｓが下がって（矢印Ｍに示す）、頭部Ｈにも左右の歪みが生じ咬合異常や不正咬合が生じてしまう等、体のバランスを中心で取り難くなる、即ち、体全体や顔面の片側のみにゆがみが生じてしまう問題があった。
【０００５】
本考案は、両足に均等に加重された姿勢を維持できる一対のサポートソックスを提供することを目的とする。
【課題を解決するための手段】
【０００６】
請求項１に記載の考案は、上記目的を達成するために、人間の左右両足に装着される一対のサポートソックスであって、前記一対のサポートソックスのそれぞれには、土踏まずから甲に亘って被覆する筒状に形成された第１筒状部が設けられ、前記第１筒状部には、その周方向に収縮して締め付ける締付部が設けられ、前記一対のサポートソックスのうち一方の前記締付部の締付力が、他方の前記締付部の締付力よりも大きいことを特徴とする一対のサポートソックスである。
【０００７】
請求項２に記載の考案は、請求項１記載の考案において、前記一対のサポートソックスのそれぞれには、前記第１筒状部の足首側に連続されて向う脛を覆う前側締付部と、該前側締付部に連続されてふくらはぎを覆う後側締付部と、が設けられ、前記前側締付部の足首と向う脛とを結ぶ線の方向の引張力が、前記後側締付部の足首とふくらはぎとを結ぶ線の方向の引張力よりも大きいことを特徴とする。
【０００８】
請求項３に記載の考案は、請求項１又は請求項２記載の考案において、締付力が大きい方の前記締付部を有する前記一方のサポートソックスが、左右どちらかの足のうち重心がおかれた側の足に装着されるものであり、締付力が小さい方の前記締付部を有する前記他方のサポートソックスが、重心がおかれた側と反対側の足に装着されるものであるとする。
【考案の効果】
【０００９】
請求項１に記載の本考案によれば、人間の左右両足に装着される一対のサポートソックスのそれぞれには、土踏まずから甲に亘って被覆する筒状に形成された第１筒状部が設けられ、第１筒状部には、その周方向に収縮して締め付ける締付部が設けられ、一対のサポートソックスのうち一方の締付部の締付力が、他方の締付部の締付力よりも大きいから、締付力が大きい方の一方のサポートソックスを加重された側の足に装着し、締付力が小さい方の他方のサポートソックスを加重されてない側の足に装着することで、締付力が大きい締付部によって加重された側の足底の筋肉が補正され、骨盤に向かう力が生じることで骨盤の一方側が下がるのが抑制され、他方側の肩甲骨が下がるのが抑制されることとなり、両足に均等に加重された姿勢となる。そして、両足に均等に加重された姿勢を維持することにより、体のバランスを中心で取れるようになるから、体全体のゆがみが解消され、顔面の片側のみが歪むことがなくなり、咬合異常や不正咬合が生じ難くなる。
【００１０】
請求項２に記載の本考案によれば、前記一対のサポートソックスのそれぞれには、第１筒状部の足首側に連続されて向う脛を覆う前側締付部と、前側締付部に連続されてふくらはぎを覆う後側締付部と、が設けられ、前側締付部の足首と向う脛とを結ぶ線の方向の引張力は、後側締付部の足首とふくらはぎとを結ぶ線の方向の引張力よりも大きいから、この前側締付部の引張力によって、足の指先側が反り返って、ふくらはぎ、即ち腓腹筋が伸展する。静脈及び動脈のうち静脈は動脈に比べて運動性が少なく血流を促すことが少ないが、このように、前側締付部によって腓腹筋が伸展することにより、腓腹筋近傍に位置する静脈が刺激され、静脈に運動性が生じて、脚全体の血行が促進される。
【００１１】
請求項３に記載の本考案によれば、締付力が大きい方の締付部を有する一方のサポートソックスが、左右どちらかの足のうち重心がおかれた側、即ち加重された側の足に装着されるものであり、締付力が小さい方の締付部を有する他方のサポートソックスが、重心がおかれた側と反対側の足、即ち加重されてない側の足に装着されるものであるから、請求項１の効果と同様に、締付力が大きくなるように形成された締付部によって加重された側の足底の筋肉が補正され、骨盤に向かう力が生じることで骨盤の一方側が下がるのが防止され、他方側の肩甲骨が下がるのが抑制されることとなり、両足に均等に加重された姿勢を維持できる。
【図面の簡単な説明】
【００１２】
【図１】本考案の一実施の形態にかかる一対のサポートソックスを示す斜視図である。
【図２】図１に示された一対のサポートソックスを別の角度から見た斜視図である。
【図３】図２に示された一対のサポートソックスの作用効果を説明するための図である。
【図４】図１に示された一対のサポートソックスの変形例を示す斜視図である。
【図５】従来の靴下を示す平面図である。
【図６】従来の靴下の問題点を説明するための図である。
【考案を実施するための形態】
【００１３】
以下、本考案に係る一対のサポートソックス１の一実施形態を、図１、図２を参照して説明する。一対のサポートソックス１は、左右どちらかの加重された（重心がかけられた）側の足（実施形態においては左足）に一方のサポートソックス１Ａが装着され、加重されてない（重心がかけられてない）側の足（実施形態においては右足）に他方のサポートソックス１Ｂが装着される。
【００１４】
この一対のサポートソックス１は、縦糸、横糸及びゴム糸を編糸とし、平織、リブ編み、タック編み、浮き編み又はパイル編みなどで編成されてなる伸縮性のある編地から構成されている。縦糸が、一対のサポートソックス１に設けられた後述する第１筒状部２、第２筒状部３、第３筒状部４、及び環状部５の軸方向に沿って設けられ、横糸が、第１筒状部２、第２筒状部３、第３筒状部４、及び環状部５の周方向に沿って設けられている。
【００１５】
一対のサポートソックス１は、図１に示すように、人間の左右両足に装着されるものであり、各サポートソックス１Ａ、１Ｂは、踝から足指までを被覆する筒状に形成された第１筒状部２と、第１筒状部２に連続されて踝からふくらはぎまでを被覆する筒状に形成された第２筒状部３と、第２筒状部３に連続されてふくらはぎから膝までを被覆する筒状に形成された第３筒状部４と、第３筒状部４に連続されて第３筒状部４がずれ落ちるのを抑制する環状部５と、を備えている。本実施形態の一対のサポートソックス１は、図１に示すように、装着された状態で足の５本の指、及び踵が露出している。
【００１６】
一方のサポートソックス１Ａ及び他方のサポートソックス１Ｂは、その第１筒状部２の締付部２Ａ、２Ｂの締付力Ｆ2A、Ｆ2Bのみが異なるように形成されていて、その他の部分、即ち、第２筒状部３、第３筒状部４、及び環状部５は、同じ構成に形成されている。
【００１７】
第１筒状部２には、土踏まずから甲に亘って被覆して、その周方向に収縮して土踏まずを締め付ける締付部２Ａ、２Ｂが形成されている。図１に示すように、一方のサポートソックス１Ａの締付部２Ａの締付力Ｆ2Aは、他方のサポートソックス１Ｂの締付部２Ｂの締付力Ｆ2Bよりも大きくなるように形成されている。一方のサポートソックス１Ａは、その締付部２Ａを形成する際に、横糸を引っ張りながら編むことで、他方のサポートソックス１Ｂの締付部２Ｂよりも自然状態における周方向の寸法が小さくなるように形成されている。これにより、一方のサポートソックス１Ａの締付部２Ａは、他方のサポートソックス１Ｂの締付部２Ｂよりもその締付力Ｆ2Aが大きくなるように形成されている。
【００１８】
第２筒状部３は、第１筒状部２に連続して形成されており、その上端は踝と膝との間の中間部まで設けられている。また、第２筒状部３は、第１筒状部２の足首側に連続されて向う脛を覆う前側締付部３１と、前側締付部３１に連続されてふくらはぎを覆う後側締付部３２と、を備えて構成されている。前側締付部３１の足首と向う脛とを結ぶ線の方向（第２筒状部３の軸方向）の引張力Ｆ3は、前記後側締付部３２の足首とふくらはぎとを結ぶ線の方向（第２筒状部３の軸方向）の引張力Ｆ4よりも大きくなるように形成されている。第２筒状部３を形成する際に、前側締付部３１の縦糸を後側締付部３２の縦糸よりも引っ張りながら編むことで、前側締付部３１の引張力Ｆ3が後側締付部３２の引張力Ｆ4よりも大きくなるように形成されている。
【００１９】
このような一対のサポータソックスは、それぞれに、土踏まずから甲に亘って被覆する筒状に形成された第１筒状部２が設けられ、第１筒状部２には、その周方向に収縮して土踏まずを締め付ける締付部２Ａ、２Ｂが設けられ、一対のサポートソックス１のうち一方の締付部２Ａの締付力Ｆ2Aが、他方の締付部２Ｂの締付力Ｆ2Bよりも大きくなるように形成されているから、締付力が大きい方の一方のサポートソックス１Ａを加重された側の足に装着し、締付力が小さい方の他方のサポートソックス１Ｂを加重されてない側の足に装着することで、図３の矢印Ｎに示すように、左足にかかった加重、即ち負荷が移動され、締付力Ｆ2Aが大きい締付部２Ａによって加重された側の足底の筋肉が補正され、骨盤に向かう力が生じることで骨盤の一方側が下がるのが抑制され、他方側の肩甲骨が下がるのが抑制されることとなり、両足に均等に加重された姿勢となる。そして、両足に均等に加重された姿勢を維持することにより、体のバランスを中心で取れるようになるから、体全体のゆがみが解消され、顔面の片側のみが歪むことがなくなり、咬合異常や不正咬合が生じ難くなる。
【００２０】
また、第２筒状部３には、前側締付部３１と、前側締付部３１に連続されてふくらはぎを覆う後側締付部３２と、が設けられ、前側締付部３１の足首と向う脛とを結ぶ線の方向（第２筒状部３の軸方向）の引張力Ｆ3は、後側締付部３２の足首とふくらはぎとを結ぶ線の方向（第２筒状部３の軸方向）の引張力Ｆ4よりも大きくなるように形成されているから、この前側締付部３１の引張力Ｆ3によって、足底の指先側が反り返って、ふくらはぎ、即ち腓腹筋が伸展する。静脈及び動脈のうち静脈は動脈に比べて運動性が少なく血流を促すことが少ないが、このように、前側締付部３１によって腓腹筋が伸展することにより、腓腹筋近傍に位置する静脈が刺激され、静脈に運動性が生じて、脚全体の血行が促進される。
【００２１】
なお、上述した実施形態では、一対のサポートソックス１は、足に装着された状態で足の５本の指、及び踵が露出していたが、本考案はこれに限ったものではなく、図４に示すように、第１筒状部２に連続して形成されて足の５本の指の１本一本を包む５つの袋状部６と、踵を覆う踵被覆部７と、を有していてもよく、袋状部６と踵被覆部７とのうちいずれか一方のみを有して構成されていてもよい。図４に示される形状のソックスは、一般に５本指ソックスと称されている。また、袋状部６は、５本の指全体を覆う覆い部（図示しない）から構成されていてもよい。なお、図４において、前述した実施形態と同一部分には、同一符号を付して説明を省略する。
【００２２】
また、上述した実施形態では、サポートソックス１Ａ、１Ｂは、第１筒状部２、第２筒状部３、第３筒状部４、及び環状部５から構成されていたが、本考案はこれに限ったものではなく、締付部２Ａ、２Ｂを有する第１筒状部２のみから構成されていてもよく、この場合には、第２筒状部３、第３筒状部４、及び環状部５は省略することもできる。また、締付部２Ａ、２Ｂを有する第１筒状部２及び第２筒状部３のみから構成されていてもよく、この場合には、第３筒状部４、及び環状部５は省略することもできる。
【００２３】
また、上述した実施形態では、サポートソックス１Ａ、１Ｂは、第２筒状部３に連続されてふくらはぎから膝側を被覆する筒状に形成された第３筒状部４を備えていたが、第３筒状部は、第２筒状部３に連続されてふくらはぎから脚の付け根までを被覆する筒状に形成されていてもよい。さらに、サポートソックスの各々は、第２筒状部３に連続されてふくらはぎから脚の付け根までを被覆する筒状に形成された第３筒状部と、腹から臀部に亘って連続して形成された腹覆い部と、をさらに備えて一体に構成されていてもよい。即ち、上述した実施形態では、一対のサポートソックス１は、サポートソックス１Ａ、１Ｂとの２部材（別体）から構成されていたが、本変形例の如く、一対のサポートソックスが１部材（一体）に構成された所謂タイツ形状であってもよい。
【００２４】
その他、当業者は、従来公知の知見に従い、本考案の一対のサポートソックスを適宜改変することができる。かかる改変によってもなお本考案の一対のサポートソックスの構成を具備する限り、勿論、本考案の範疇に含まれるものである。
【符号の説明】
【００２５】
１        一対のサポートソックス
１Ａ      一方のサポートソックス
１Ｂ      他方のサポートソックス
２        第１筒状部
２Ａ、２Ｂ  締付部
３        第２筒状部
３１      前側締付部
３２      後側締付部
Ｆ2A、Ｆ2B 締付力
Ｆ3、Ｆ4   付勢力
【図１】
0003178998.tif 000003
【図２】
0003178998.tif 000004
【図３】
0003178998.tif 000005
【図４】
0003178998.tif 000006
【図５】
0003178998.tif 000007
【図６】
0003178998.tif 000008